(57)【要約】【課題】建物への放火被害をできるだけ小さくするため、建物の周囲や庭などに設置される防犯灯を利用した新規の放火対策を提供する。【解決手段】本発明の防犯灯１は、光源５を有する灯具本体と、人感センサ６１による人体検出手段６と、紫外線炎センサ７１による火災検出手段７とが単体で設置可能に形成され、監視エリアに人が侵入すると光源５が自動的に点灯して侵入者を威嚇し、監視エリアで炎が発生すると警報器７２が鳴動するように構成される。【選択図】図３
2006286276.tif 000002
【特許請求の範囲】
【請求項１】
光源を有する灯具本体と、人感センサによって人体の接近を検出し光源を自動的に点灯させる人体検出手段と、紫外線炎センサによって災の発生を検出し警報を鳴動させる火災検出手段とを具備してなる、単体で設置可能な防犯灯。
【請求項２】
人体検出手段及び火災検出手段がそれぞれユニット化されて灯具本体に着脱しうるように形成されたことを特徴とする請求項１に記載の防犯灯。
【発明の詳細な説明】
【技術分野】
【０００１】
本発明は、主として建物の周囲や庭などに設置される防犯灯に関する。
【背景技術】
【０００２】
建物の玄関や外構回りなどに防犯的な目的で設置される屋外灯としては、人感センサにより人体の接近を検出して自動的に点灯するものが普及している（例えば、特許文献１等。）。
【０００３】
また、不審者の侵入を防ぐための機能を付加した防犯設備として、監視用の防犯カメラと撮像装置を照明器具に組み合わせた防犯システムも提案されている（例えば、特許文献２、３等。）。
【特許文献１】特開２００２−３１３５８７号公報
【特許文献２】特開２００１−１０３４５４号公報
【特許文献３】特開２００３−２１５６６５号公報
【発明の開示】
【発明が解決しようとする課題】
【０００４】
人感センサを備えた屋外灯は、不審者の侵入に対しては一定の威嚇効果はあるものの、近年増加しつつある放火犯罪に対しては十分な抑止効果を期待できない。防犯カメラや撮像装置を備えた防犯システムも、犯罪発生後の捜査には有用であるが、防犯カメラの存在がよほど目立たない限り犯罪を未然に防ぐ効果は低く、とりわけ放火犯罪に対しては、放火行為が実際に発生してからシステムが作動してもあまり意味がない、という問題がある。
【０００５】
火災の発生や拡大を防止する設備としては、熱又は煙を検出して警報を発する火災検知・報知設備や、スプリンクラー等の自動消火設備が一般的である。しかし、この種の設備は主として公共施設や共同住宅向けの設備であり、建物内全体でひとつの防災システムを構成する複雑なものとなるので、設置コストも高価になり、一般の個人住宅にはあまり普及していない。また、熱や煙が拡散しやすい屋外では火災の発生を検出しにくいため、建物外からの放火に対しては、ほぼ無防備である。
【０００６】
住宅火災による人的被害は近年、増加傾向にあり、これを受けて平成１６年６月２日に消防法を改正する法律が公布された（平成１８年６月１日施行）。この消防法改正により、個人住宅においても、全ての新築・改築住宅を対象に火災警報器の設置が義務化されることとなった。この法改正によって、一般住宅における火災警報器の設置率が上昇し、住宅内を発生原因とする火災の被害が減少することは期待されるが、外部からの放火による火災に対しては、上述のように有効な対策が未だ確立しておらず、さらなる対策が望まれるところである。
【０００７】
そこで、本発明は、特に建物外からの放火による被害をできるだけ小さくするため、建物の周囲や庭などに設置される防犯灯に着目し、この防犯灯を利用した新規の放火対策を提供するものである。
【課題を解決するための手段】
【０００８】
上記した目的を達成するため、本発明の防犯灯は、光源を有する灯具本体と、人感センサによって人体の接近を検出し光源を自動的に点灯させる人体検出手段と、紫外線炎センサによって災の発生を検出し警報を鳴動させる火災検出手段とを具備し、単体で設置しうるように構成されたことを特徴とする。
【０００９】
この防犯灯は、不審者が接近したときに、これを人感センサで検出して光源を自動的に点灯させることにより、不審者に対して威嚇効果を発揮するとともに、接近した不審者が万一、ライター等を着火すれば、その炎を紫外線炎センサがただちに検出して警報を鳴動させる。火災検出手段として炎に反応する紫外線炎センサを利用しているので、熱や煙の拡散しやすい屋外でも確実に火災の発生を検知することができる。紫外線炎センサ自体の構成は公知従来の技術で足りる。
【００１０】
本発明において「単体で設置可能」とは、複雑な防災システムの一部を構成する照明設備や、他の設備類と連携して動作する照明設備といった類のものではなく、単独の灯具として、適宜の商用電源（家庭用交流電源や、屋外照明器具用の太陽電池等）に接続して設置することができる、という意味である。ただし、単体で設置される灯具であっても、最低限必要なＯＮ・ＯＦＦスイッチは適宜の場所に設置されて、灯具本体と電気的に接続されるものとする。このように、灯具に人体検出手段と炎検出手段とを組み合わせて単体で設置可能とすれば設置コストが安価になり、既設の屋外灯との交換も容易になるので、設置台数の増加を期待することができる。
【００１１】
さらに本発明の防犯灯は、人体検出手段及び火災検出手段がそれぞれユニット化されて灯具本体に着脱しうるように形成されたことを特徴とする。人体検出手段及び火災検出手段をユニット化して、設置場所に応じ必要な範囲で灯具に着脱可能とすれば、灯具及び各ユニットの製造コストや設置コストを削減することができる。
【発明の効果】
【００１２】
上述のように構成される本発明の防犯灯は、不審者の接近を人感センサで検出して光源を自動的に点灯させることにより、不審者に対して威嚇効果を発揮するとともに、接近した不審者が万一、ライター等を着火すれば、その炎を紫外線炎センサがただちに検出して警報を鳴動させるように構成されるので、放火を未然に防止する効果が高く、また、仮に放火が実行されたとしても、早期消火によって被害を最小限に抑えることができる。
【００１３】
さらに、本発明の防犯灯は、複雑で高価な防災システムと連携するようなものではなく、灯具と人体検出手段と炎検出手段とが組み合わされて、単体で設置し得るように構成されている。したがって、設置場所や灯具形態についての自由度が大きく、設置コストも安価で、手軽に設置することができ、既設の屋外灯との交換も容易になる。これにより、個人住宅等における普及を促進し、地域全体での防犯性向上に寄与することができる。
【発明を実施するための最良の形態】
【００１４】
以下、本発明の実施の形態について図を参照して説明する。図１〜図３は、本発明の実施形態に係る防犯灯の概略的な構成を示す。
【００１５】
例示の防犯灯１は、いわゆるブラケット型の灯具であって、外壁面等に取り付けられる取付座部２と、取付座部２から突出したアーム部３と、アーム部３の先端に向きを変え得るように取り付けられた投光部４とによって灯具本体が構成され、投光部４には光源となるランプ５が装着されている。取付座部２の内部には図示しない制御回路部が収納され、壁面に配線された商用電源からの電力が、この制御回路部に供給されている。制御回路部は適宜の場所に設置された図示しない壁面スイッチに接続され、この壁面スイッチの操作によってランプ５の点消灯が操作される。
【００１６】
取付座部２には、人体検出手段を構成する人感センサユニット６と、火災検出手段を構成する炎センサユニット７とが取り付けられている。両センサユニット６、７は、それぞれ意匠的に統一された箱状のケース内に収納されて、取付座部２に対し着脱自在となされ、取付座部２に取着した状態でそれぞれ制御回路部と電気的に接続されている。
【００１７】
人感センサユニット６は、人体が放出する赤外線を感知する人感センサ６１を具備し、図２に示すように、監視エリア内に人が侵入すると、その検出信号を制御回路部に送出する。制御回路部は、人の検出信号を受けてただちにランプ５を点灯させる。所定エリア内から人が居なくなると、タイマーで設定された一定時間の経過後にランプ５が消灯する。
【００１８】
本発明においては、人感センサ６１の詳細な仕様や監視エリアの設定方式等は特に限定しない。また、人感センサユニット６に照度センサを組み合わせて、周囲が薄暗くなると自動的にランプ５が半灯状態となり、人の侵入を感知するとランプ５が全灯状態になるような制御方式を採用してもよい。
【００１９】
炎センサユニット７は、例えば太陽光に含まれない波長域の紫外線に対して強い感度を有する光起電素子を利用した紫外線炎センサ７１を具備し、監視エリア内における炎の発生を検出する。図３に示すように、監視エリア内に炎が発生すると、炎センサユニット７が、その検出信号を制御回路部に送出し、制御回路部がただちに警報器７２を鳴動させる。近年、実用化されている紫外線炎センサは非常に感度が高く、数ｍ離れた位置からライターの着火程度の小さな炎を瞬時に検出できるので、火災の発生を早期に発見することができる。
【００２０】
通常は、監視エリアに人が侵入した時点で、これを人感センサ６１が検出してランプ５が点灯すると想定されるが、人の侵入が検出されていない状態で炎の発生が検出された場合には、警報器７２の鳴動と同時にランプ５が点灯するように設定されていてもよい。また、人感センサユニット６の監視エリアと炎センサユニット７の監視エリアとは、合致していてもよいし、設置場所周辺における人の動線や燃えやすい物品の配置状況等に応じて、多少ずれていてもよい。
【００２１】
このような防犯灯１を設置することにより、監視エリア内に侵入した不審者を光で威嚇することができるとともに、侵入した不審者が炎を発生させた場合には、ただちに警報を鳴動させて、放火行為を未然に防止することができる。万一、放火が実行されたとしても、早期消火によって被害を最小限に抑えることが可能になる。
【００２２】
本発明は、例示したブラケット型の灯具だけでなく、例えば庇や軒下に下向きに直付けされるタイプの灯具や、庭に独立して立設されるポール型の灯具、塀や階段の上に設置されるスタンド型の灯具などにも適用可能である。
【図面の簡単な説明】
【００２３】
【図１】本発明の実施形態に係る防犯灯の概略的な構成を示す図である。
【図２】人が侵入したときの防犯灯の作動状態を示す図である。
【図３】炎が発生したときの防犯灯の作動状態を示す図である。
【符号の説明】
【００２４】
１    防犯灯
５    ランプ（光源）
６    人感センサユニット（人体検出手段）
６１  人感センサ
７    炎センサユニット（火災検出手段）
７１  紫外線炎センサ
７２  警報器
【図１】
2006286276.tif 000003
【図２】
2006286276.tif 000004
【図３】
2006286276.tif 000005